(57)【要約】【課題】  表示品位が低下する虞のない表示板を提供する。【解決手段】  光透過性の基板１８と、この基板１８の観察者側を向く一方の面１８ａに形成される第１の網点印刷層１３と、この第１の網点印刷層１３の表面に形成される第２の網点印刷層１４とを備え、第１の網点印刷層１３は、ドットの開口率が所定値である第１の開口率一定領域１３ａと、ドットの開口率が所定値とは異なる他の値である第２の開口率一定領域１３ｂと、ドットの開口率が所定値から他の値へと漸次変化する開口率変化領域１３ｃとを有し、開口率変化領域１３ｃは、第１の開口率一定領域１３ａと第２の開口率一定領域１３ｂとを繋ぐように設けられている。【選択図】図３
2014169862.tif 000002
【特許請求の範囲】
【請求項１】
光透過性の基板と、
前記基板の観察者側を向く一方の面に形成される第１の網点印刷部と、
前記第１の網点印刷部の表面に形成される第２の網点印刷部とを備え、
前記第１の網点印刷部は、
ドットの開口率が所定値である第１の開口率一定領域と、
前記開口率が前記所定値とは異なる他の値である第２の開口率一定領域と、
前記開口率が前記所定値から前記他の値へと漸次変化する開口率変化領域とを有し、
前記開口率変化領域は、第１の開口率一定領域と第２の開口率一定領域とを繋ぐように設けられていることを特徴とする表示板。
【請求項２】
前記第２の網点印刷部は、前記開口率が前記所定値及び前記他の値とは異なる値に設定されていることを特徴とする請求項１記載の表示板。
【発明の詳細な説明】
【技術分野】
【０００１】
本発明は、車両に搭載された車両用計器に用いられる表示板に関するものである。
【背景技術】
【０００２】
従来より、この種の表示板にあっては、例えば下記特許文献１に記載されているものが知られている。この特許文献１に記載の表示板は、光透過性の基板に、円環状の枠と当該枠の内側に設けられた目盛とを構成する第１印刷層と、目盛と数字とを白抜きによって構成するとともに目盛、数字、枠を除く部分を覆う遮光部を構成する第２印刷層と、が順次積層形成されているものである。
【０００３】
この場合、枠の内縁部には、第１印刷層と第２印刷層とが互いに重ねられた重なり領域が設けられている。そして、第１印刷層の重なり領域に対応する部分には第１網点が設けられるとともに第２印刷層の重なり領域に対応する部分にも第２網点が設けられ、第１網点は枠の内側（つまり第２印刷層側）に向かうに従って網点の濃度が徐々に薄くなっており、第２網点は枠の外側（つまり第１印刷層側）に向かうに従って網点の濃度が徐々に薄くなっているものである。
【先行技術文献】
【特許文献】
【０００４】
【特許文献１】特開２０１０−２４３２８１号公報
【発明の概要】
【発明が解決しようとする課題】
【０００５】
ところで、第１、第２印刷層を基板上に印刷形成する際には、第１、第２印刷層に対応した２つの印刷版を作成する必要あり、これら２つの印刷版をスクリーン印刷からなる手段を用いて基板上に各々印刷形成することで、所望の表示板を得ることができる。一般的に、基板上に印刷版を用いて印刷するような場合は、印刷版の版ズレが生じることが知られている。
【０００６】
そして、特許文献１に記載の表示板において、例えば第１印刷層に備えられる第１網点と第２印刷層に備えられる第２網点との重なり領域が比較的、広範囲に形成されているような場合、重なり領域での意匠は、その一部が前記版ズレに起因した版ズレ意匠部分となって観察者側から視認され、表示品位の低下を招く虞がある。
そこで本発明は、前述の課題に対して対処するため、表示品位が低下する虞のない表示板の提供を目的とするものである。
【課題を解決するための手段】
【０００７】
本発明は、光透過性の基板と、前記基板の観察者側を向く一方の面に形成される第１の網点印刷部と、前記第１の網点印刷部の表面に形成される第２の網点印刷部とを備え、前記第１の網点印刷部は、ドットの開口率が所定値である第１の開口率一定領域と、前記開口率が前記所定値とは異なる他の値である第２の開口率一定領域と、前記開口率が前記所定値から前記他の値へと漸次変化する開口率変化領域とを有し、前記開口率変化領域は、第１の開口率一定領域と第２の開口率一定領域とを繋ぐように設けられていることを特徴とする。
【０００８】
また本発明は、前記第２の網点印刷部は、前記開口率が前記所定値及び前記他の値とは異なる値に設定されていることを特徴とする。
【発明の効果】
【０００９】
本発明によれば、初期の目的を達成でき、表示品位が低下する虞のない表示板を提供できる。
【図面の簡単な説明】
【００１０】
【図１】本発明の実施形態による表示板の正面図。
【図２】同実施形態による背景部の要部正面図。
【図３】図２のＡ−Ａ断面図。
【発明を実施するための形態】
【００１１】
以下、図１〜図３に基づいて、本発明の実施形態を例えば車両用計器（速度計）に搭載される計器用の表示板に適用した場合を例に挙げて説明する。
【００１２】
図１、図２において、表示板１０は、指針Ｐの回転軌道（作動範囲）に沿った円弧状の配列形状を有し、指針Ｐによって指示される速度目盛等からなる指標部１１と、この指標部１１の背景を形成する所定の模様からなる背景部１２とを有している。
【００１３】
背景部１２は、第１の網点印刷部としての第１の網点印刷層１３と、第２の網点印刷部としての第２の網点印刷層１４と、下地部１５とによって形成され、さらに下地部１５は、第１の下地層１６と、第２の下地層１７とで構成されている。
【００１４】
図３は、各網点印刷層１３、１４並びに下地部１５の積層関係を示した表示板１０（背景部１２）の要部断面図を示したものである。
【００１５】
この場合、表示板１０の母材である光透過性の基板１８の表面に黒色印刷層からなる第１の下地層１６が印刷形成され、この第１の下地層１６の表面に白色印刷層からなる第２の下地層１７が印刷形成され、この第２の下地層１７の表面（つまり下地部１５を介した基板１８の表面側）に第１の網点印刷層１３が印刷形成され、この第１の網点印刷層１３の表面に第２の網点印刷層１４が印刷形成された構成となっている。なお、ここでの基板１８の表面（表面側）とは、指針Ｐ側（つまり観察者側）を向く基板１８の一方の面１８ａを意味する。
【００１６】
第１の網点印刷層１３は、有彩色にて印刷形成されたスクリーン印刷層からなり、本例の場合、シアン（Ｃ）、マゼンダ（Ｍ）、イエロー（Ｙ）、ブラック（Ｋ）等の複数の基本色インクのうち、イエロー（Ｙ）のインクを用いて形成されている。
【００１７】
また、第１の網点印刷層１３は、図２や図３に示すようにドット（網点）の開口率が所定値（例えば６５％）である第１の開口率一定領域１３ａと、ドットの開口率が前記所定値とは異なる他の値（例えば４０％）である第２の開口率一定領域１３ｂと、ドットの開口率が前記所定値から前記他の値へと漸次（徐々に）変化するように設定された開口率変化領域１３ｃとを有し、開口率変化領域１３ｃは第１の開口率一定領域１３ａと第２の開口率一定領域１３ｂとを繋ぐように設けられている。なお、第１の網点印刷層１３は、イエローのインクではなく、シアンまたはマゼンダのインクにて印刷形成してもよい。
【００１８】
第２の網点印刷層１４は、前記複数の基本色インクのうち、ブラック（Ｋ）のインクを用いて印刷形成されたスクリーン印刷層からなり、この場合、第１の開口率一定領域１３ａ及び開口率変化領域１３ｃを完全に覆うように第１の網点印刷層１３上に印刷形成され、ドットの開口率が前記所定値及び前記他の値とは異なる値（例えば３５％）に設定されている。
【００１９】
また、第２の網点印刷層１４は、第２の開口率一定領域１３ｂの一部Ｒ１を覆うように第１の網点印刷層１３上に印刷形成されている。換言すると、第２の開口率一定領域１３ｂの一部Ｒ１以外となる第２の開口率一定領域１３ｂの所要部Ｒ２は、第２の網点印刷層１４によって覆われていない構成であると言える。
【００２０】
ここでの、第２の開口率一定領域１３ｂの一部Ｒ１とは、第２の開口率一定領域１３ｂにおける開口率変化領域１３ｃに近い側の部分を指すものであり、第２の開口率一定領域１３ｂの所要部Ｒ２とは、第２の開口率一定領域１３ｂにおける開口率変化領域１３ｃから離れた側の部分を指す。なお、第２の網点印刷層１４は、ブラックのインクではなく、濃紺や濃いグレーの色調にて印刷形成されていてもよい。
【００２１】
ここで、第１の網点印刷層１３と第２の網点印刷層１４との位置関係に着目すると、第１の開口率一定領域１３ａ、開口率変化領域１３ｃ並びに第２の開口率一定領域１３ｂの一部Ｒ１の三者は、何れもその表面に第２の網点印刷層１４が積層形成されていることから、前記三者と第２の網点印刷層１４とは、第１の網点印刷層１３と第２の網点印刷層１４とが重なり合うドット重合領域Ｓとなっている。
【００２２】
このドット重合領域Ｓにおいて、第１の開口率一定領域１３ａ、開口率変化領域１３ｃ並びに第２の開口率一定領域１３ｂの一部Ｒ１（つまり前記三者）は、その一部が図３に示すように第２の網点印刷層１４が印刷形成されない第２の網点印刷層１４の開口部１４ａを通じて、白色印刷層である第２の下地層１７の色にて視認される。
【００２３】
また、第２の網点印刷層１４越しに観察者側から視認されることになる前記三者（つまり各領域１３ａ、１３ｃ並びに第２の開口率一定領域１３ｂの一部Ｒ１）は、開口率変化領域１３ｃでのドットの開口率が漸次変化していることで、一方側（図３中、第１の開口率一定領域１３ａ側）から他方側（図３中、第２の開口率一定領域１３ｂの一部Ｒ１側）に向かうに従って、その階調変化が滑らかなものとなる。
【００２４】
従って、ドット重合領域Ｓが比較的広範囲に設けられているような場合、たとえ各網点印刷層１３、１４の印刷時に版ズレがあったとしても、観察者側から視認されるドット重合領域Ｓの意匠（表示意匠）には、従来のような版ズレ意匠部分が極力含まれない構成となり、見栄えの良好なものとなる。
【００２５】
かかる実施形態によれば、第１の網点印刷層１３は、ドットの開口率が前記所定値である第１の開口率一定領域１３ａと、ドットの開口率が前記他の値である第２の開口率一定領域１３ｂと、ドットの開口率が前記所定値から前記他の値へと漸次変化する開口率変化領域１３ｃとを有し、開口率変化領域１３ｃは、第１の開口率一定領域１３ａと第２の開口率一定領域１３ｂとを繋ぐように設けられているものである。また、第２の網点印刷層１４は、ドットの開口率が前記所定値及び前記他の値とは異なる値に設定されているものである。
【００２６】
従って、ドット重合領域Ｓが比較的広範囲に設けられているような場合、たとえ各網点印刷層１３、１４の印刷時に版ズレがあったとしても、観察者側から視認されるドット重合領域Ｓの表示意匠には、従来のような版ズレ意匠部分が極力含まれない構成となり、表示品位が低下する虞のない表示板を提供することができる。
【００２７】
また本実施形態では、第２の網点印刷層１４は、ドットの開口率が前記所定値及び前記他の値とは異なる値に設定されているものであったが、例えば第２の網点印刷層１４のドット開口率を前記所定値あるいは前記他の値と同じにしてもよい。
【符号の説明】
【００２８】
１０    表示板
１１    指標部
１２    背景部
１３    第１の網点印刷層（第１の網点印刷部）
１３ａ  第１の開口率一定領域
１３ｂ  第２の開口率一定領域
１３ｃ  開口率変化領域
１４    第２の網点印刷層（第２の網点印刷部）
１５    下地部
１６    第１の下地層
１７    第２の下地層
１８    基板
１８ａ  一方の面
Ｓ    ドット重合領域
【図１】
2014169862.tif 000003
【図３】
2014169862.tif 000004
【図２】
2014169862.tif 000005